(57)【要約】      （修正有）【課題】模擬的に自転車に乗った真実感を持つ事が出き、又従来の健康保持装置ではペダルを踏めば、只脚部筋肉しか運動できず、すぐあきてしまうのと違って、脚部筋肉の外、腕、肩、背、腰、及び復部等部位も運動出きる。【解決手段】一つのボデーは一本のサポートユニットで支持され、並びに上述のボデーをこのサポートユニットによって揺り動す事が出きる。そして又一つの揺動ユニットを設け、この揺動出きる装置をボデーに設置する。若し乗用者がこの健康保持装置を使用する時、揺動ユニットの揺動の位置移動によって、健康保持効果を達成できる。並びに此の揺動ユニットを利用し、揺動過程中支持作用を提供する事ができる。上述のボデーと乗用者の体の穏定なるバランスがコントロールできる。【選択図】図１
0003117721.tif 000002
【実用新案登録請求の範囲】
【請求項１】
一種の健康保持装置であり、以下を含む：
一つの台座
一つのボデー、これは台座に設置してある。該ボデーには
一つの乗座があって、乗用者を乗せる
一つのバランス制御機構が有り、ボデーに設置し、ボデーと乗用者のバランスを司る。
【請求項２】
請求項１記載の健康保持装置において、その中、該ボデーは更に一つのサポートユニットと連接し、該サポートユニットと該ボデーは垂直に固定設置される。
【請求項３】
請求項１記載の健康保持装置において、その中、該ボデーは更に一つのサポートユニットと連接し、該サポートユニットにより、該ボデーを限定した角度内で揺動させる。
【請求項４】
請求項１記載の健康保持装置において、その中、該バランス制御機構は一つのフライホイルである。
【請求項５】
請求項１記載の健康保持装置において、その中、該バランス制御機構は一つの揺動ユニットである。
【請求項６】
請求項１記載の健康保持装置において、その中、該バランス制御機構は、一つのフライホイル及び一つの揺動ユニットである。
【請求項７】
一種の健康保持装置であり、以下を含む：
一つの台座
一つのボデー、それは台座に設置されている。
一つのバランス制御機構、該ボデーに設置し、ボデーのバランスに用いる。
【請求項８】
請求項７記載の健康保持装置において、その中、該バランス制御機構は、一つのフライホイルである。
【請求項９】
請求項７記載の健康保持装置において、その中、該バランス制御機構は、一つの揺動ユニットである。
【請求項１０】
請求項７記載の健康保持装置において、その中、該バランス制御機構は、一つのフライホイル及び一つの揺動ユニットである。
【請求項１１】
請求項７記載の健康保持装置において、その中、該ボデーは更に一つのサポートユニットと連接し、該サポートユニットとボデーは垂直に固定設置される。
【請求項１２】
請求項７記載の健康保持装置において、その中、該ボデーは更に一つのサポートユニットと連接し、該サポートユニットにより、該ボデーを限定された角度内で揺動させる。
【請求項１３】
請求項７記載の健康保持装置において、これは更に丸輪を包含し、該丸輪はボデーに設置され、揺動ユニットを絡めるのに用いる。
【考案の詳細な説明】
【技術分野】
【０００１】
本考案は一種の健康保持を提供する装置であり、且つ本物の自転車に乗った状態を真似できる特別な一種の健康保持装置である。
【背景技術】
【０００２】
都会の人は生活の空間が狭い為、室外運動に欠けており、一般には室内健康保持器具を利用して運動の効果を達している。その中、健康保持装置は一種の自転車を真似た健康器材具で、多くの人が常に使っている健康保持器具である。常用の健康保持装置はボデー及びサポート枠を含み、ボデーはサポート枠上に固定され、サポート枠は地面上のきめた位置上に、穏定出きる様に置かれる。回転出きる車輪セットはボデーに設置され、車輪は又一対のペダルに連接される。使用者は両足でペダルを踏み動して、運動の効果を達する事が出きる。しかしながら、使用者は止らずにペダルを踏んでいると、腿の筋肉しか運動できず、且つあまり変化が無い為、早くあきてくるのである。これを続けると使用者は、従来の健康保持装置に対して、疲労を感じ、且つ興味を失い、ついに此の健康保持装置を使う事を止めてしまう。
【考案の開示】
【考案が解決しようとする課題】
【０００３】
本考案の主要な目的は、一種の健康保持装置を提供し、該健康保持装置は下記を含む：  一つのボデー；
一つのサポートユニット、これはボデーを支持するのに用いる。並びにこのボデーの揺動に使う事が出きる；
一つの揺動ユニット、これは揺動出きる方式でボデーに設置されている。
【０００４】
上述の健康保持装置には一つの乗座を包含し、ボデーの上に設置され、乗用者を支持する。もし乗用者が上述の健康保持装置を使用した時、乗用者の体とボデーはサポートユニットにより、揺動かされ、自然的に左下側及び右下側に向かって揺動して、傾斜する。それにより健康保持の効果が達せられる。乗用者はユニットの左右揺動に対して、自分の体をゆり動かせば、これも同様に健康保持効果が得られる。この外揺動ユニットは揺動位置移動過程中にサポートの作用を提供し、更に上述のボデー及び乗用者の体のバランスを制御する事ができる。
【０００５】
本考案は更に本当の自転車に乗った状態を模擬できる事を提供する健康保持装置であり、これには一つの回転ユニットを包含し、ボデーに枢設される。もし乗用者が上述の健康保持装置を使用した時、乗用者の体とボデーはサポートユニットの揺動に従って揺動する。自然的に左下方向及び右下方向に揺動して傾斜する。これにより、ペダルを踏めば回転ユニットが伝動され、これは実際の自転車に乗った真実感を模擬できる事である。
【０００６】
若し乗用者が上述の健康保持装置を使用した時、乗用者は必ず強制的に体を揺り動して揺動ユニットを捩り動す事によって、ボデーと乗用者の体のバランスをコントロールする事ができて、確実なエネルギーの消粍と健康保持の目的を達成する事ができる。
【０００７】
又上述の健康保持装置は模擬的に自転車に乗った真実感を持つ事が出きる、又従来の健康保持装置ではペダルを踏めば、只脚部筋肉しか運動できず、すぐあきてしまうのと違って、脚部筋肉の外、腕、肩、背、腰、及び復部等部位も運動出きます。
【０００８】
又上述のサポートユニットは、一つの揺動角度コントロールユニットと見なす事が出きる、乗用者は需用に基づいて、ボデー傾斜の角度を調整する事ができる、そして上述のボデーを一定角度内に揺動かさせて運動の激烈程度をコントロールする。
【課題を解決するための手段】
【０００９】
請求項１の考案は、一種の健康保持装置であり、以下を含む：
一つの台座
一つのボデー、これは台座に設置してある。該ボデーには
一つの乗座があって、乗用者を乗せる
一つのバランス制御機構が有り、ボデーに設置し、ボデーと乗用者のバランスを司る。
を特徴とする上記健康保持装置としている。
【００１０】
請求項２の考案は、請求項１記載の健康保持装置において、その中、該ボデーは更に一つのサポートユニットと連接し、該サポートユニットと該ボデー は垂直に固定設置されることを特徴としている。
【００１１】
請求項３の考案は、請求項１記載の健康保持装置において、その中、該ボデーは更に一つのサポートユニットと連接し、該サポートユニットにより、該ボデーを限定した角度内で揺動させることを特徴としている。
【００１２】
請求項４の考案は、請求項１記載の健康保持装置において、その中、該バランス制御機構は一つのフライホイルであることを特徴としている。
【００１３】
請求項５の考案は、請求項１記載の健康保持装置において、その中、該バランス制御機構は一つの揺動ユニットであることを特徴としている。
【００１４】
請求項６の考案は、請求項１記載の健康保持装置において、その中、該バランス制御機構は、一つのフライホイル及び一つの揺動ユニットであることを特徴としている。
【００１５】
請求項７の考案は、一種の健康保持装置であり、以下を含む：
一つの台座
一つのボデー、それは台座に設置されている。
一つのバランス制御機構、該ボデーに設置し、ボデーのバランスに用いる。
を特徴とする上記健康保持装置としている。
【００１６】
請求項８の考案は、請求項７記載の健康保持装置において、その中、該バランス制御機構は、一つのフライホイルであることを特徴としている。
【００１７】
請求項９の考案は、請求項７記載の健康保持装置において、その中、該バランス制御機構は、一つの揺動ユニットであることを特徴としている。
【００１８】
請求項１０の考案は、請求項７記載の健康保持装置において、その中、該バランス制御機構は、一つのフライホイル及び一つの揺動ユニットであることを特徴としている。
【００１９】
請求項１１の考案は、請求項７記載の健康保持装置において、その中、該ボデーは更に一つのサポートユニットと連接し、該サポートユニットとボデーは垂直に固定設置されることを特徴としている。
【００２０】
請求項１２の考案は、請求項７記載の健康保持装置において、その中、該ボデーは更に一つのサポートユニットと連接し、該サポートユニットにより、該ボデーを限定された角度内で揺動させることを特徴としている。
【００２１】
請求項１３の考案は、請求項７記載の健康保持装置において、これは更に丸輪を包含し、該丸輪はボデーに設置され、揺動ユニットを絡めるのに用いることを特徴としている。
【考案の効果】
【００２２】
本考案の健康保持装置は模擬的に自転車に乗った真実感を持つ事が出きる。又従来の健康保持装置ではペダルを踏めば、只脚部筋肉しか運動できず、すぐあきてしまうのと違って、脚部筋肉の外、腕、肩、背、腰、及び復部等部位も運動出きます。
【考案を実施するための最良の形態】
【００２３】
第１、２図を参照、本考案健康保持装置には下記を含む；
一つのボデー１０、これは健康保持装置の主要な骨組である。並びに図面で示している形状とは限りません、他の形状でも良い、此れをサポートする支持ロッド１１、該支持ロッド１１の下側に基面Ｇがあり(例えば地面)、これと接触する台座１３、ボデー１０の後端上に乗座１５があり、これが乗用者を支持する。
一つの制御構造(操作ハンドル)２０、ボデー １０の前端上に設置している。
一つの揺動ユニット３０、これは図中に示す形状とは限らない。美観上或いはその他の需要に基づいて形状を変えても良い。その上端は制御構造２０と連接する。その揺動ユニット３０には一つの基面と大体平行な横ロッド３１があり、該横ロッド３１の末端には一つの固定枠３２があり、固定枠３２の両側に相対する長孔３３がある。固定枠３２の中に一つの固定座３４を嵌着する。その固定座３４の中に一つの支持パーツ３５(車輪状物)を設け、一本のノックピン３６が固定枠３２の長孔３３、固定座３４及び支持パーツ３５を連なり通す。第４図に示す如く、固定枠３２と固定座３４の間に一つのスプリング３７を設置する。第３図に示す本考案第二実施例を参照して下さい。この揺動ユニット３０には一つの直ロッド３８を含み、該直ロッド３８の頂端は制御構造２０と相連なり、直ロッド３８の下端は弯曲した一つの弧形ロッド３９で、該弧形ロッド３９は横ロッド３１の一端と連接物３１３で互接続している。該弧形ロッド３９と横ロッド３１に各突き出した一つのはめ合せロッド３９１、３１１がある。これでスプリング３７Ａをはめ入れる。横ロッド３１末端の固定枠３２の内側に直接一つの支持パーツ３５を取付けている、これはノックピン３６が固定枠３２及び支持パーツ３５を直接繋がっていると言える。上述本考案を指示した第１図及び第３図の二つの実施例は、すべて弾性手段でスプリング３７、３７Ａを圧縮する。支持パーツ３５が基面Ｇ高低に応じて、弾性的な位置移動をする。
一つの伝動装置４０、それには一つの主動輪４１、一つの被動輪４２及び一つのフライホイル４３を含む。被動輪４２とフライホイル４３は同一軸でボデー１０に取付ける。該主動輪４１と被動輪４２は一つの伝動パーツ４４で連接され、該主動輪４１のシャフトセットには一対のペダル４５とボデー１０が連結される。上記伝動装置４０の伝動方式は齒車とチエーン、プリーとベルト或いはその他の伝動方式でもよい。該伝動装置４０には一つの変速装置を設け(図中に示してない)、それにより、伝動装置４０の足踏み駆動がずっと楽になる。該伝動装置４０の外側に更に保護カバー(図中には示してない)を取付ける事ができる。これは乗用者が乗った時、衣服が伝動装置４０に卷き込まれるのを防止する。
一つのサポートユニット５０は、その支持ロッド１１と台座１３の間に設置され、一本の支持ロッド５１及び一対の軸承板５２を含む、この支持ロッド５１はボデー１０の支持ロッド１１の底端末にあり、該支持ロッド５１には位置決め孔５１１を設ける。その一対の軸承板は台座１３の上に設置され、支持ロッド５１は一対の軸承板５２の間に置かれる。並びに一つの連接心棒Ｓでこれをつらぬく。支持ロッド５１は連接心棒Ｓを中心に揺動する事が出きる支持ロッド５１は一対の軸承板５２とからみあった方式だが、凹部と凸部連接或いはその他の連接方式で達成させる事もできる。この一対の軸 承板５２には各一つの中心通し孔５２１がある。又中心通し孔５２１の両側に数個の通し孔５２２があり、その中に塞ぎ心棒５４を各孔に挿し込んでいる。第６図示す如く、この中心通し孔５２１は位置決め孔５１１と合せた後、固定心棒５３で挿し込み、位置決めする。これで支持ロッド５１(ボデー１０)は基面Ｇと垂直となる、第７図に示す如し。
【００２４】
若し軸承板５２両側のそばの或る通し孔５２２に塞ぎ心棒５４を挿し込んだ場合、支持ロッド５１(ボデー１０)の揺動角度を制御する事ができる。第８図に示す如し、その為、サポートユニット５０は又揺動角度コントロールユニットと見なして良い。乗用者は需要に基いてボデー１０の傾斜できる角度を調整する事ができる。そしてボデー１０は限制された一定の角度内で揺動する。これで運動の激烈程度を調整する事ができる。
【００２５】
注意すべき事は、上述の説明では二フののサポートユニット５０をボデー１０の底端部に設置している例であるが、必ずしも二フののサポートユニット５０を設置するとは限らず、一個のサポートユニット５０、三個のサポートユニット５０或いはその他多数個のサポートユニット５０をボデー１０の底端部に組立ても良い。
【００２６】
サポートユニット５０はボデー１０を支持すると共にボデー１０を揺動する。その方法はたくさん有り、一一述べる事はできないのである。本考案は只比較的良い実施方式を例に挙げただけである。しかしながらそれは本考案に使はねばならないとは限らない。
【００２７】
第１９図に示すのを参照して下さい。若し乗用者が健康保持装置に乗った時、固定心棒５３が一対の軸承板５２の中心孔５２１及び支持ロッド５１の位置決め孔５１１に挿し入れると、支持ロッド５１(ボデー１０)を基面に対し垂直にさせる。乗用者は足でペダル４５を踏めば主動輪４１は回転する。伝動パーツ４４は被動輪４２とフライホイル４３を共に回転させる。並びに手の掌で制御構造２０を左、右に揺動ユニット３０を動かす。更に支持パーツ３５が基面Ｇ上で揺動する。此の時基面Ｇが不平坦なら、スプリング３７、３７Ａは支持パーツ３５に弾性を供給し、支持パーツ５３は基面Ｇの不平坦に応じて、高度を調整する。第５、３図に示す如く、揺動ユニット３０の穏定な揺動を維持する。若し乗車難度を増加したいなら、固定心棒５３を中心孔５２１と位置決め孔５１１より引き抜かれ、そして支持ロッド５１は体に合せて揺り動く、そして連接心軸Ｓを中心として左下側及び右下側に向かって傾斜揺動する。第８図に示す如く、両側の塞ぎ心棒５４で支持ロッド５１を止める。これで乗用者の体に合せて、自然的に左下側、右下側に向かって傾斜し、乗車の困難度を増加する。若し乗用者の能力及び需要に基づくなら、支持ロッド５１(車体１０)で左下側、右下側に向かって揺動する角度を調整するなら、只二つの塞ぎ心棒５４を両側で選んだ通し孔５２２に挿し込めば達成する事ができる。
【００２８】
第１図、第３図を参照してください。上述の支持ロッド１１に一つの丸輪６０を設置する、この丸輪６０は揺動ユニット３０に絡んでおり、丸輪６０は揺動ユニット３０が左、右向きに偏って揺動かした時、揺動ユニット３０が揺動過程中の跳びはねるのを避ける作用をします。そして揺動ユニット３０のスムースな揺動動作を確保します。
【００２９】
上述のサポートユニット５０は、ボデー１０を基面Ｇと垂直に固定する事ができ、又ボデー１０を一定の角度内で揺動かさせる事もできる。上述第６、７及び８図で表示しているサポートユニット５０の構造はその実施例の中の一つに過ぎない。支持ロッド５１と一つの軸承板５２と連接し、そして支持ロッド５１を位置決めで基面Ｇと垂直にさせるか、或いは支持ロッド５１を一定の角度内で動かせる事もできる。且つ他の方法で支持ロッド５１と軸承板５２を連接し、位置を決め支持ロッド５１及び回転支持ロッド５１の目的を達成する事もできる。
【００３０】
ボデー１０が傾斜している時、乗用者は左、右に揺動ユニット３０をひねり動かし支持パーツ３５と基面Ｇが接触して支持点を提供する。しかし、基面Ｇの不平坦或いはボデー１０の過度傾斜は揺動ユニット３０の揺動が多少順調悪くなる。その為、揺動ユニット３０はやはり弾性を具備する様設計するべきである。或いは揺動ユニット３０に上述のスプリング３７Ａを設置する。並びに揺動ユニット３０の揺動位置移動過程中を利用して、一つの支持作用となる。更にボデー１０と乗用者の体のバランス穏定を制御する事ができる。
【００３１】
上述の揺動ユニット３０の支持パーツ３５は回転パーツにしても良い、そして基面Ｇと接触によって支持点を形成する。又基面Ｇは地面或いはその他の面でも良い。且つ支持パーツ３５も又回転パーツとは限らない。その他の物体でもよい。本考案はこの様にとは限らない。
【００３２】
上述のフライホイル４３の重量は、伝動装置４０が運転の過程中、適当な慣性をもたらす。同時に揺動ユニット３０の適当な揺動に合せれば、健康保持装置全体と乗用者の体のバランスを有効に取れます。そしてフライホイル４３は一個でも多数個でも良く、若しフライホイルが多数個ある場合、外徑、重量不同のフライホイル４３を付け加える。それでフライホイル４３の重量調整変化によって、同じでない乗用者の需求に応ずる事ができる。
【００３３】
摩擦力をフライホイル４３に作用させる事ができ、これはフライホイルの回転に困難を発生し、乗用者筋肉運動の難昜度変化の要望を達成できる。ここに摩擦力手段の比較的良い実施例を挙げて説明する。第１０図を参照してください。ボデー１０の支持ロッド１１に一つの回転でき、位置移動できる押えボルト８０を設け、押えボルト８０の摩擦物８１を利用して、フライホイル４３に押し付け摩擦力を発生させる。この摩擦力手段はそのうちの一例に過ぎないのである。これで本考案を限定するものではない。
【００３４】
第１１図を参照してください。これは本考案第３実施例の側面図である。この実施例中揺動ユニット３０には一つの第一部分３０Ａ及び一つの第二部分３０Ｂを含む。この第一部分３０Ａは回転でき、第二部分３０Ｂはフライホイルの前側にある。この様な巧みな取組みによって、揺動ユニット３０の全体を更に穏定させる事ができる、そして有効にボデー１０のバランス穏定を維持できる。
【００３５】
上述の説明によって、フライホイル４３或いは揺動ユニット３０又はこのフライホイル４３に揺動ユニット３０を加えて、本考案のバランス制御機構を構成する。それで乗用者が本考案を使用した時、乗用者の体のバランスを穏定させる事ができる。
【００３６】
本考案は以上の経過を組み合せて構成されたのであるため、皆が周知の健康保持装置と比較すれば、確実に以下の進歩性を有する。
一、乗用者が健康保持装置に乗った時、乗用者が足でペダル４５を踏めば、伝動装置４０が運転して、乗用者身体のバランス重心はペダル４５を足で踏む力の大小によって変化する。そして、乗用者身体及びボデー１０は、自然的に左下側及び右下側に向かって揺動傾斜する。更に両手は強制的に制御構造２０を握り、揺動ユニット３０を操作して、一つの支持作用を提供する、並びにフライホイル４３の回転で形成された慣性と組み合せれば、乗用者身体のバランスの穏定が取れます。そして常用の健康保持装置にたして、全然興味が無いのと違って、更に身体のその他の多くの筋肉をも運動させる事ができる。
二、健康保持でこれに乗った時、体の自然的揺動に合せると、ボデー１０は設定の角度内に左下側、右下側に向かって傾斜揺動する。それで健康保持に乗用の困難度が増加される。確実に健康保持運動の効果が達成出きる。
三、このサポートユニット５０は、一つの揺動角度コントロールユニットと見なして良い、それで乗用者の需要と要求に基づいて、ボデー１０が基面と垂直方式或いはボデー１０を左下側、右下側に向かって傾斜揺動の方式を選んで、健康保持に乗用できる。並びにボデー１０の左下側、右下側に向かって揺動傾斜する角度を調整する事ができる。如何なる健康状態の人でも乗用でき、本当に適用する事ができる。
【図面の簡単な説明】
【００３７】
【図１】本考案第一実施例の立体外観図を示す。
【図２】本考案第一実施例の揺動ユニットと支持パーツを組み合せた立体分解図 を示す。
【図３】本考案第二実施例の部分側面図を示す。
【図４】本考案第二図の組合せ解剖図を示す。
【図５】本考案第二図の組み合せ解剖面動作図を示す。
【図６】本考案サポートユニット立体分解図を示す。
【図７】本考案の支持ロッド(ボデー)が固定され、基面と垂直になっている平面図を示す。
【図８】本考案の支持ロッド(ボデー)が左下側、右下側に向かって傾斜揺動する動作指示図を示す。
【図９】本考案の揺動ユニットが左、右揺動の平面図を示す。
【図１０】本考案のフライホイルが摩擦作用を受けるその一実施例表示図を示す。
【図１１】本考案の第３実施例の部分側面図である。
【符号の説明】
【００３８】
１０    ボデー          １１    支持ロッド
１３    台座            １５    乗座
２０    制御構造        ３０    揺動ユニット
３０Ａ    第一部分      ３０Ｂ    第二部分    ３１  横ロッド
３１１、３９１  スプリングはめ合せロッド
３１３  連接パーツ      ３２    固定枠
３３    長孔            ３４    固定座 
３５支持パーツ          ３６    ノックピン
３７、３７Ａ  スプリング      ３８    直ロッド
３９    弧形ロッド        ４０    伝動装置
４１    主動輪            ４２    被動輪
４３    フライホイル      ４４    伝動パーツ
４５    ペダル            ５０    サポートユニット
５１    支持ロッド        ５１１  位置決め孔
５２    軸承板            ５２１  中心通し孔
５２２  通し孔            ５３    固定心棒
５４    塞ぎ心棒          ６０    丸輪
８０    押えボルト        ８１    摩擦物
Ｓ      連接心棒          Ｇ      基面
【図１】
0003117721.tif 000003
【図２】
0003117721.tif 000004
【図３】
0003117721.tif 000005
【図４】
0003117721.tif 000006
【図５】
0003117721.tif 000007
【図６】
0003117721.tif 000008
【図７】
0003117721.tif 000009
【図８】
0003117721.tif 000010
【図９】
0003117721.tif 000011
【図１０】
0003117721.tif 000012
【図１１】
0003117721.tif 000013